(57)【特許請求の範囲】
【請求項１】
ユーザーが所有する携帯端末から受信した操作指示に基づいて動作可能な画像形成装置であって、
前記携帯端末から近距離無線通信により前記ユーザーの身体的状況と国籍とのいずれかもしくは両方が含まれる個人情報データを受信する近距離無線通信部と、
受信された前記個人情報データに基づいて操作環境を設定する操作環境設定部と、
設定された前記操作環境で前記携帯端末からの前記操作指示を反映した表示画面を表示する操作パネルと、
給紙カセット又は搬送カバーの開閉動作をアシストするパワーアシスト部を備え、
前記操作環境設定部は、
前記個人情報データに含まれる身体的状況に基づいて前記ユーザーの筋力を判断し、前記パワーアシスト部によりアシストするか否かを設定する
ことを特徴とする画像形成装置。
【請求項２】
前記操作パネルは、垂直面に対するパネル角度を上下方向に可変に調整可能に構成され、
前記操作環境設定部は、
前記個人情報データに含まれる身体的状況に基づいて前記ユーザーの目線高さを判断し、前記パネル角度を設定する
ことを特徴とする請求項１に記載の画像形成装置。
【請求項３】
前記操作環境設定部は、
前記個人情報データに含まれる国籍に基づいて前記ユーザーの公用語を判断し、表示言語を設定する
ことを特徴とする請求項１又は２に記載の画像形成装置。
【請求項４】
前記操作環境設定部は、
前記個人情報データに含まれる身体的状況に基づいて前記ユーザーの視認力を判断し、表示画面の文字サイズを設定する
ことを特徴とする請求項１から３までのいずれか１項に記載の画像形成装置。
【請求項５】
前記操作環境設定部は、
前記個人情報データに含まれる身体的状況に基づいて前記ユーザーの聴力を判断し、音量を設定する
ことを特徴とする請求項１から４までのいずれか１項に記載の画像形成装置。
【請求項６】
前記近距離無線通信部の前記近距離無線通信によって前記携帯端末と無線通信を確立する通信部とを有し、
前記通信部は、前記操作環境設定部により設定された前記操作環境に対する変更が前記操作パネルにより受け付けられた場合に、前記変更がされた前記操作環境の設定値を前記無線通信により前記携帯端末に送信する
ことを特徴とする請求項１から５までのいずれか１項に記載の画像形成装置。
【発明の詳細な説明】
【技術分野】
【０００１】
本発明は、ユーザーが所有する携帯端末から受信した操作指示に基づいて動作可能な画像形成装置に関する。
【背景技術】
【０００２】
プリンター、複写機、複合機等の画像形成装置においては、各種設定を受け付ける操作パネルが設けられており、ユーザーがそれぞれ好みの設定に変えて使用できるようになっている。このような画像形成装置においては、スマートフォンやタブレット端末等の携帯端末と無線通信を行って操作を受け付けるものがある（例えば、特許文献１を参照）。特許文献１の技術では、用紙設定や濃度設定等の設定情報を近距離無線通信により携帯端末から受信して、設定に反映させている。
【先行技術文献】
【特許文献】
【０００３】
【特許文献１】特開2005-79800号公報
【発明の概要】
【発明が解決しようとする課題】
【０００４】
しかしながら、特許文献１の技術により携帯端末から画像形成装置に設定情報を送信しても、画像形成装置に設定情報がきちんと反映されたかの確認や変更のため、ユーザーが操作パネルを操作することがあった。このとき、操作パネルの表示言語がユーザーのネイティブ言語と異なっていたり、文字サイズが小さかったりした場合、ユーザーが手動で設定を変更する必要があった。しかしながら、表示言語や文字サイズの設定画面は、操作に不慣れなユーザーがたどり着くまでに時間が掛かることが多く、視力が弱かったりすると設定を変更すること自体困難な場合があった。
【０００５】
本発明は上記課題に鑑みてなされたものであり、ユーザーに合わせて操作環境を最適化することができる技術を提供することを目的とする。
【課題を解決するための手段】
【０００６】
本発明の画像形成装置は、ユーザーが所有する携帯端末から受信した操作指示に基づいて動作可能な画像形成装置であって、前記携帯端末から近距離無線通信により前記ユーザーの身体的状況と国籍とのいずれかもしくは両方が含まれる個人情報データを受信する近距離無線通信部と、受信された前記個人情報データに基づいて操作環境を設定する操作環境設定部と、設定された前記操作環境で前記携帯端末からの前記操作指示を反映した表示画面を表示する操作パネルと、給紙カセット又は搬送カバーの開閉動作をアシストするパワーアシスト部を備え、前記操作環境設定部は、前記個人情報データに含まれる身体的状況に基づいて前記ユーザーの筋力を判断し、前記パワーアシスト部によりアシストするか否かを設定することを特徴とする。
また、前記操作パネルは、垂直面に対するパネル角度を上下方向に可変に調整可能に構成され、前記操作環境設定部は、前記個人情報データに含まれる身体的状況に基づいて前記ユーザーの目線高さを判断し、前記パネル角度を設定してもよい。
また、前記操作環境設定部は、前記個人情報データに含まれる国籍に基づいて前記ユーザーの公用語を判断し、表示言語を設定してもよい。
また、前記操作環境設定部は、前記個人情報データに含まれる身体的状況に基づいて前記ユーザーの視認力を判断し、表示画面の文字サイズを設定してもよい。
また、前記操作環境設定部は、前記個人情報データに含まれる身体的状況に基づいて前記ユーザーの聴力を判断し、音量を設定してもよい。
また、前記近距離無線通信部の前記近距離無線通信によって前記携帯端末と無線通信を確立する通信部とを有し、前記通信部は、前記操作環境設定部により設定された前記操作環境に対する変更が前記操作パネルにより受け付けられた場合に、前記変更がされた前記操作環境の設定値を前記無線通信により前記携帯端末に送信してもよい。
【発明の効果】
【０００７】
本発明によれば、ユーザーに合わせて操作環境を最適化することができる
【図面の簡単な説明】
【０００８】
【図１】本発明に係る実施形態の画像形成システムのシステム構成図である。
【図２】図１に示す携帯端末の概略構成を示す機能ブロック図である。
【図３】図１に示す画像形成装置の概略構成を示す機能ブロック図である。
【図４】図１に示す画像形成システムの操作環境設定動作の流れを示すフローチャートである。
【図５】図３に示す操作環境設定部による操作環境の設定内容例である。
【発明を実施するための形態】
【０００９】
以下、図を参照して本発明の実施形態を詳細に説明する。なお、以下の実施形態において、同様の機能を示す構成には、同一の符号を付してある。
【００１０】
図１に示すように、画像形成システム１００は、携帯端末１と画像形成装置２とを備えている。画像形成装置２は、ユーザーが所有する携帯端末１から操作指示を受信して動作可能に構成されていると共に、操作パネル２１からの操作も可能である。また、画像形成装置２の操作パネル２１は、チルト可能に構成されており、本体手前側方向に前傾させることができる。
【００１１】
携帯端末１は、携帯電話、スマートフォン、タブレット端末、ＰＤＡ（Personal Digital Assistant）等のポータブルデバイスであり、ユーザーによって所持されている。図２に示すように、携帯端末１は、操作部１１と、ＮＦＣ通信部１２と、記憶部１３と、無線通信部１４と、制御部１５とを備えている。
【００１２】
操作部１１は、各種情報を表示する表示部と各種操作キーを備えたユーザーインターフェースである。表示部は、表示パネルの表面に透明の感圧センサーが設けられた表示手段及び入力手段として機能するタッチパネルであってもよい。
【００１３】
ＮＦＣ通信部１２は、ＮＦＣ（Near Field Communication）による近距離無線通信機能を有しており、ＮＦＣタグ２７とデータを送受信することができる。ＮＦＣ通信部１２は、ＮＦＣタグ２７に対する携帯端末１のかざす操作をトリガーにＮＦＣタグ２７と近距離無線通信を確立してデータを送受信することができる。そのため、ユーザーによる無線通信設定が不要で簡単に利用することができる。
【００１４】
記憶部１３は、半導体メモリーやＨＤＤ（Hard Disk Drive）等の記憶手段であり、ＡＰＰ１３１を記憶している。ＡＰＰ１３１は、画像形成装置２の操作環境をユーザーに合わせて最適化するためのアプリケーションプログラムであり、携帯端末１にインストールされている。ユーザーは、無線通信部１４を介してインターネットなどからＡＰＰ１３１をダウンロードして、携帯端末１にインストールすることができる。また、記憶部１３には、ＡＰＰ１３１の初回起動時にユーザーにより入力される個人情報が個人情報データ１３２として記憶される。
【００１５】
無線通信部１４は、無線ネットワークを介して、画像形成装置２と各種データを送受信する機能を有する。無線通信部１４は、無線ネットワークとして、携帯電話通信網を用いてもよいし、Ｗｉ-Ｆｉ（登録商標）や、Ｂｌｕｅｔｏｏｔｈ（登録商標）を用いてもよい。
【００１６】
制御部１５は、操作部１１、ＮＦＣ通信部１２、記憶部１３及び無線通信部１４にそれぞれ接続され、操作部１１から入力された所定の指示情報に応じて携帯端末１全体の動作制御を実行する。制御部１５は、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。制御部１５は、ＲＯＭに記憶されている制御プログラムを読み出し、制御プログラムをＲＡＭに展開させることで、操作部１１から入力された所定の指示情報に応じて端末全体の制御を行う。
【００１７】
また、操作部１１を介してＡＰＰ１３１の起動操作が行われると、制御部１５は、記憶部１３に記憶されたＡＰＰ１３１を読み出して、ＲＡＭに展開させて、ＡＰＰ１３１を起動させる。これにより、制御部１５は、ＡＰＰ１３１の機能を実現する個人情報反映部１５１として機能する。
【００１８】
個人情報反映部１５１は、初回起動時に、操作部１１を介してユーザーの身体的状況と国籍とのいずれかもしくは両方が含まれる個人情報の入力を受け付ける。ユーザーが入力する個人情報には、名前、国籍、性別、身長、車椅子利用の有無、年齢、視力、聴力、ＦＡＸ番号、メールアドレス等が含まれる。個人情報に含まれるユーザーの身体的状況とは、性別、身長、車椅子利用の有無、年齢、視力、聴力である。初回起動時に入力された個人情報は、個人情報データ１３２として記憶部１３に記憶され、次回以降入力を省略することができる。記憶部１３に個人情報データ１３２が記憶されると、個人情報反映部１５１は、画像形成装置２のＮＦＣタグ２７に携帯端末１をタッチするように促すメッセージを操作部１１に表示させる。ユーザーが、携帯端末１をＮＦＣタグ２７にタッチすると、ＮＦＣ通信部１２とＮＦＣタグ２７との近距離無線通信が確立し、記憶部１３に記憶された個人情報データ１３２がＮＦＣ通信部１２によってＮＦＣタグ２７に送信される。
【００１９】
次に、図３を参照して、画像形成装置２について説明する。画像形成装置２は、ＭＦＰ（Multifunction Printer）であり、操作パネル２１と、原稿読み取り部２２と、記憶部２３と、画像処理部２４と、印刷部２５と、通信部２６と、ＮＦＣタグ２７と、制御部２９とを備えている。
【００２０】
操作パネル２１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。また、操作ボタンは、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。また、操作パネル２１は、画像形成装置２の左右方向に回動軸が配置されたチルト機構２１１が設けられており、制御部２９によって垂直面に対するパネルの角度（パネル角度）を上下方向に可変に調整可能（チルト可能）である。
【００２１】
原稿読み取り部２２は、図示しない原稿給紙装置により給紙されてきた原稿や、ユーザーによってプラテンガラスに載置された原稿に対して光を照射し、その反射光等を受光して原稿画像を読み取るスキャナーである。
【００２２】
記憶部２３は、半導体メモリーやＨＤＤ等の記憶手段であり、原稿読み取り部２２によって読み取られた画像データや、通信部２６によって受信された画像データなどが蓄積される記憶手段である。
【００２３】
画像処理部２４は、画像データに対して所定の画像処理を行う手段である。画像処理部２４では、例えば、拡大縮小処理や、濃度調整、階調調整等の画像改善処理が行われる。
【００２４】
印刷部２５は、記憶部２３に記憶された画像データを印刷する印刷手段である。印刷部２５は、例えば、記憶部２３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２５】
通信部２６は、Ｗｉ-Ｆｉ（登録商標）やＢｌｕｅｔｏｏｔｈ（登録商標）等の無線ネットワークを介して携帯端末１と各種データを送受信する機能を有する。他にも、通信部２６は、ＬＡＮ（Local Area Network）ケーブルを介して外部端末と各種データを送受信する機能を有してもよい。
【００２６】
ＮＦＣタグ２７は、アンテナとＩＣ（Integrated Circuit）チップを備えている。ＮＦＣタグ２７は、ＮＦＣ機能を搭載した携帯端末１が近づくと、ＩＣチップが始動して、携帯端末１とデータを送受信する。ＮＦＣタグ２７が受信したデータは、ＩＣチップ内のメモリーに記憶される。なお、携帯端末１ではなく画像形成装置２にＮＦＣ通信部１２を設け、携帯端末１にＮＦＣタグ２７を設けてよい。この場合、携帯端末１のＮＦＣタグ２７に個人情報データ１３２が格納された状態で携帯端末１が画像形成装置２にタッチされると、画像形成装置２に設けたＮＦＣ通信部１２が携帯端末１から近距離無線通信により個人情報データ１３２を読み取ることができる。
【００２７】
パワーアシスト部２８は、記録紙を補給する際の給紙カセットの開閉動作や、紙詰まり解消のための搬送カバーの開閉動作を補助する機能を有する。給紙カセットと搬送カバーのそれぞれには、開閉を補助するための公知のアシスト機構が設けられている。パワーアシスト部２８は、ＯＮに設定された場合、給紙カセット又は搬送カバーの開動作を検出すると給紙カセット又は搬送カバーを例えば突き出して開きやすくし、給紙カセット又は搬送カバーの閉動作を検出すると給紙カセット又は搬送カバーを例えば引き込んで閉じるように制御する。パワーアシスト部２８がＯＦＦに設定された場合には、給紙カセットと搬送カバーのアシスト制御は行われない。
【００２８】
制御部２９は、操作パネル２１、原稿読み取り部２２、記憶部２３、画像処理部２４、印刷部２５、通信部２６、ＮＦＣタグ２７、パワーアシスト部２８にそれぞれ接続されている。制御部２９は、ＲＯＭ、ＲＡＭ等を備えたマイクロコンピュータ等の情報処理部である。ＲＯＭには画像形成装置２の動作制御を行うための制御プログラムが記憶されている。制御部２９は、ＲＯＭに記憶されている制御プログラムを読み出し、制御プログラムをＲＡＭに展開させることで、装置全体の制御を行う。また、制御部２９は、ＮＦＣタグ２７が携帯端末１から個人情報データ１３２を受信すると、受信した個人情報データ１３２に基づいて操作環境を設定する操作環境設定部２９１として機能する。
【００２９】
次に、図４を参照して、画像形成システム１００の操作環境設定動作の流れを説明する。
【００３０】
まず、携帯端末１の操作部１１がＡＰＰ１３１の起動操作を受け付けると、制御部１５はＡＰＰ１３１を起動して（ステップｓ１１）、個人情報反映部１５１として機能する。個人情報反映部１５１は、記憶部１３に記憶された個人情報データ１３２を取得する（ステップｓ１２）。つづいて、ＮＦＣ通信部１２は、ＮＦＣによる近距離無線通信が確立するまで待機する（ステップｓ１３、ステップｓ１３でＮｏ）。ユーザーが携帯端末１を画像形成装置２のＮＦＣタグ２７上にかざすと、ＮＦＣ通信部１２とＮＦＣタグ２７との間で近距離無線通信が確立する（ステップｓ１３でＹｅｓ）。近距離無線通信が確立すると、ＮＦＣ通信部１２は、ＮＦＣタグ２７に個人情報データ１３２を書き込み（ステップｓ１４）、本処理を終了する。
【００３１】
画像形成装置２の操作環境設定部２９１は、ＮＦＣタグ２７に個人情報データ１３２が書き込まれるまで待機しており（ステップｓ１５、ステップｓ１５でＮｏ）、個人情報データ１３２が書き込まれると（ステップｓ１５でＹｅｓ）、個人情報データ１３２に基づいて操作環境設定を行い（ステップｓ１６）、本処理を終了する。
【００３２】
図５は、操作環境設定部２９１が行う操作環境の設定内容例である。操作環境設定部２９１は、個人情報データ１３２に基づいて、名前表示の有無、パワーアシスト、操作パネル２１のパネル角度、文字サイズ、音量、表示言語等を設定する。
【００３３】
名前に基づく操作環境設定では、名前の表示がユーザーにより許可されている場合に、操作環境設定部２９１は、例えば「山田花子様  専用設定」と操作パネル２１に表示して、画像形成装置２の操作環境が個人に最適設定された状態であることを示す。名前は、ユーザーが個人情報を入力する際に表示・非表示を選択可能である。非表示が選択された場合には「ユーザー様  専用設定」と操作パネル２１に表示され、操作環境が最適設定された状態であることが表示されるが、個人名は表示されない。
【００３４】
国籍に基づく操作環境設定では、操作環境設定部２９１は、国籍に基づいてユーザーの公用語を判断し、表示言語を設定する。例えば、国籍が日本の場合、操作環境設定部２９１は、表示言語を日本語に設定する。
【００３５】
性別に基づく操作環境設定では、操作環境設定部２９１は、性別に基づいてユーザーの筋力を判断し、パワーアシスト部２８によりアシストするか否かを設定する。例えば、性別が女性である場合に筋力が低いと判断され、パワーアシストがＯＮに設定され、パワーアシスト部２８により給紙カセットの出し入れや、搬送カバーの開閉に対するアシストが行われる。性別が男性である場合には、筋力が標準であると判断され、パワーアシストはＯＦＦのままとなり、パワーアシスト部２８によるアシストは行われない。
【００３６】
身長に基づく操作環境設定では、操作環境設定部２９１は、身長に基づいてユーザーの目線高さを判断し、操作パネル２１のパネル角度をユーザーの目線高さに合わせた角度に調整する。例えば、身長が１５０ｃｍである場合、操作環境設定部２９１は、ユーザーの目線高さが低いと判断して、操作パネル２１のチルト機構２１１を制御して、パネル角度を標準位置（標準角度）から例えば−３０°傾けるように設定する。これにより、操作パネル２１が小柄なユーザーの目線高さに合わせて前傾して操作しやすくなる。なお、例えば身長が１６０ｃｍ以上の場合には、ユーザーの目線高さが標準であると判断され、パネル角度が標準位置のままに設定されてもよい。
【００３７】
車椅子利用の有無に基づく操作環境設定では、操作環境設定部２９１は、車椅子利用の有無に基づいてユーザーの目線高さを判断し、操作パネル２１のパネル角度をユーザーの目線高さに合わせた角度に設定する。例えば、車椅子利用有りの場合は、操作環境設定部２９１は、ユーザーの目線高さが低いと判断し、チルト機構２１１を制御してパネル角度の調整値を−６０°にして、車椅子に座ったユーザーの目線高さに合わせて操作パネル２１を前傾させる。車椅子利用が無しに設定された場合には、ユーザーの目線高さが標準であると判断し、パネル角度はデフォルト値のままとなる。
【００３８】
年齢に基づく操作環境設定では、操作環境設定部２９１は、年齢に基づいてユーザーの筋力と、視認力と、聴力とをそれぞれ判断し、パワーアシスト部２８によりアシストするか否かと、表示画面の文字サイズと、スピーカーの音量とをそれぞれ設定する。例えば、年齢が６０歳以上の場合、操作環境設定部２９１は、筋力と、視認力と、聴力とがそれぞれ低いと判断して、パワーアシストをＯＮに設定し、文字サイズをデフォルト値に調整値を＋５加算して大きく表示するように設定し、音量をデフォルト値に調整値を＋５加算して大きく出力されるように設定する。年齢が６０歳未満の場合は、操作環境設定部２９１は、筋力と、視認力と、聴力とがそれぞれ標準であると判断して、それぞれをデフォルト値のまま設定してもよい。また、操作環境設定部２９１は、年齢が６０歳から高くなるにつれて、文字サイズ、音量のそれぞれの調整値が徐々に高くなるように設定してもよい。また、年齢が例えば１０歳以下である場合も、操作環境設定部２９１は、パワーアシストをＯＮに設定し、文字サイズと、スピーカーの音量とのそれぞれについて調整値を加算してもよく、さらに、表示文字をすべて平仮名に変更して、子供が読みやすいように操作環境を設定してもよい。
【００３９】
視力に基づく操作環境設定では、操作環境設定部２９１は、視力に基づいてユーザーの視認力を判断し、表示画面の文字サイズを設定する。例えば、視力が乱視、近視、老眼の場合には、操作環境設定部２９１は、ユーザーの視認力が低いと判断し、文字サイズを標準より大きくなるように調整し、例えば老眼の場合には、文字サイズの調整値として＋１０が加算される。視力が標準となっている場合には、ユーザーの視認力が標準であると判断され、文字サイズがデフォルト値のまま設定される。
【００４０】
聴力に基づく操作環境設定では、操作環境設定部２９１は、ユーザーの聴力を判断して、スピーカーの音量を設定する。例えば、聴力が難聴である場合、操作環境設定部２９１は、ユーザーの聴力が低いと判断して、音量の調整値として＋１０をデフォルト値に加算する。例えば、聴力が標準に設定されていた場合は、ユーザーの聴力が標準であると判断され、スピーカーの音量がデフォルト値に設定される。
【００４１】
なお、図５において、文字サイズに対する調整値のように、同じ設定項目に対して調整値が重複して加算される場合がある。この場合、年齢が６０歳である場合の調整値と、視力が老眼である場合の調整値とがそれぞれ文字サイズのデフォルト値に対して加算される。つまり、６０歳で視力に問題ないユーザーよりも６０歳で視力が老眼のユーザーのほうが、文字サイズが大きく表示され、ユーザーの身体的状況に合わせた操作環境に設定される。
【００４２】
また、図５には示していないが、個人情報データ１３２にＦＡＸ番号が含まれる場合には、ＦＡＸ送信先としてＦＡＸ番号の呼び出しが可能になる。また、個人情報データ１３２にメールアドレスが含まれる場合には、スキャン画像の送信先としてメールアドレスの呼び出しが可能になる。
【００４３】
このように、本実施形態の画像形成装置２は、ユーザーが所有する携帯端末１から受信した操作指示に基づいて動作可能な画像形成装置２であって、携帯端末１から近距離無線通信によりユーザーの身体的状況と国籍とのいずれかもしくは両方が含まれる個人情報データ１３２を受信する近距離無線通信部（ＮＦＣタグ２７）と、受信された個人情報データ１３２に基づいて操作環境を設定する操作環境設定部２９１と、設定された操作環境で携帯端末１からの操作指示を反映した表示画面を表示する操作パネル２１とを備えたことを特徴とする。これにより、ユーザーが携帯端末１から送信した操作指示が画像形成装置２に正確に反映されているか確認しようとしたときに、画像形成装置２の操作環境がユーザーの身体的状況や国籍等の個人情報に基づいて設定されるので、操作環境をユーザーに合わせて最適化することができる。また、画像形成装置２がユーザーの個人情報に基づいて操作環境を設定するようにしたので、画像形成装置２の機種に依存することなく、その画像形成装置２で実現し得る最適化された操作環境をユーザーに提供することができる。
【００４４】
なお、本実施形態では、ユーザーの個人情報に基づいて、名前表示の有無、パワーアシスト、パネル角度、文字サイズ、音量、表示言語を設定する場合を例に説明したが、画像形成装置２の機種に対応してそれぞれが設定されることは言うまでもない。例えば、パワーアシスト、パネル角度の設定機能がない画像形成装置２の場合には、名前表示の有無、文字サイズ、音量、表示言語など設定可能な項目について操作環境が最適化される。
【００４５】
また、携帯端末１から画像形成装置２に送信する操作指示については、個人情報データ１３２と共に近距離無線通信で画像形成装置２に送信されてもよいし、個人情報データ１３２が送信前又は送信後に近距離無線通信又は無線通信により画像形成装置２に送信されてもよい。また、携帯端末１から画像形成装置２に送信する操作指示には、印刷データや設定値等が含まれてもよい。
【００４６】
また、画像形成装置２は、個人情報データ１３２に基づいて設定した操作環境に対する変更を操作パネル２１により受け付けた場合、変更した設定値を携帯端末１に送信してもよい。変更した設定値を受信した場合、携帯端末１は、以降その画像形成装置２に対しては個人情報データ１３２の代わりに、変更した設定値を近距離無線通信により送信する。これにより、携帯端末１から次回送信される個人情報データ１３２は、ユーザーが変更した設定値となり、ユーザーが使いやすい操作環境設定が反映される。また、画像形成装置２は、ＮＦＣタグ２７に予め通信部２６の無線通信に必要な接続設定情報を記憶しておき、ＮＦＣタグ２７と携帯端末１との近距離無線通信が行われたときに、ＮＦＣタグ２７の接続設定情報を携帯端末１に送信し、画像形成装置２の通信部２６と携帯端末１の無線通信部１４との無線通信が確立させてもよい。そして、変更した操作環境設定が通信部２６から無線通信により携帯端末１に送信させることで、ユーザーは個人情報データ１３２を送信するためのタッチ操作だけで、画像形成装置２の操作環境を個人情報に基づいて最適設定することができ、操作パネル２１を介して操作環境を変更した場合も、変更した設定値を自動的に携帯端末１に回収することができる。
【００４７】
本発明は上述した実施の形態に限定されるものではなく、本発明の趣旨を逸脱しない範囲で種々様々に変更が可能であることは言うまでもない。
【符号の説明】
【００４８】
１  携帯端末
２  画像形成装置
１１  操作部
１２  ＮＦＣ通信部
１３  記憶部
１４  無線通信部
１５  制御部
２１  操作パネル
２２  原稿読み取り部
２３  記憶部
２４  画像処理部
２５  印刷部
２６  通信部
２７  ＮＦＣタグ（近距離無線通信部）
２８  パワーアシスト部
２９  制御部
１００  画像形成システム
１３１  ＡＰＰ
１３２  個人情報データ
１５１  個人情報反映部
２１１  チルト機構
２９１  操作環境設定部
【図１】
0006524964.tif 000002
【図２】
0006524964.tif 000003
【図３】
0006524964.tif 000004
【図４】
0006524964.tif 000005
【図５】
0006524964.tif 000006